(57)【特許請求の範囲】
【請求項１】
圧縮機（１、１０１）とその圧縮機（１、１０１）を駆動する駆動源（２、１０２）と室内機（３）と室外機（４）とを有し、それらの圧縮機（１、１０１）と室内機（３）と室外機（４）に冷媒が循環する圧縮式空調機において、前記駆動源は電動機（２）と電動機以外の機械式原動機（１０２）であり、前記電動機（２）により駆動される圧縮機（１）からの冷媒の出口ライン（Ｌ１）と前記原動機（１０２）により駆動される圧縮機（１０１）からの冷媒の出口ライン（Ｌ２）とは第１のライン（Ｌ１６）に合流して室外機（４）に連通する第２のライン（Ｌ３）と室内機（３）に連通する第３のライン（Ｌ８）とに切替える弁（６）に接続され、前記室外機（４）からの第４のライン（Ｌ４）は第１の開閉弁（７）と第１の膨張弁（３２）とを介して室内機（３）に接続され、また第４のライン（Ｌ４）の第１の分岐点（Ｐ１）から分岐した第５のライン（Ｌ１２）は第２の膨張弁（４２）を介して蓄熱槽（５）に接続され、蓄熱槽（５）に接続された第６のライン（Ｌ１３）は第３の開閉弁（９）を介して第３のライン（Ｌ８）の第３の分岐点（Ｐ３）に接続され、前記第１の開閉弁（７）と第１の膨張弁（３２）との間の第２の分岐点（Ｐ２）から分岐した第６のライン（Ｌ１４）には第２の開閉弁（８）が介装され、そして第６のラインの蓄熱槽（５）と第３の開閉弁（９）との間の第５の分岐点（Ｐ５）に接続され、そして前記電動機（２）により駆動される圧縮機（１）の流入ライン（Ｌ１０）と前記原動機（１０２）により駆動される圧縮機（１０１）の流入ライン（Ｌ１１）とは合流して第７のライン（Ｌ９）に接続され、その第７のライン（Ｌ９）は前記第２のライン（Ｌ３）と第３のライン（Ｌ８）とに切替える弁（６）に連通していることを特徴とする圧縮式空調機。
【請求項２】
圧縮機（１０３）とその圧縮機（１０３）を駆動する駆動源（１０２、１０４）と室内機（３）と室外機（４）とを有し、その圧縮機（１０３）と室内機（３）と室外機（４）に冷媒が循環する圧縮式空調機において、前記圧縮機（１０３）は電動機以外の機械式原動機（１０２）により駆動されると共に、前記圧縮機（１０３）からの冷媒の出口ライン（Ｌ２）は室外機（４）に連通する第２のライン（Ｌ３）と室内機（３）に連通する第３のライン（Ｌ８）とに切替える弁（６）に接続され、前記室外機（４）からの第４のライン（Ｌ４）は第１の開閉弁（７）と第１の膨張弁（３２）とを介して室内機（３）に接続され、また第４のライン（Ｌ４）の第１の分岐点（Ｐ１）から分岐した第５のライン（Ｌ１２）は第２の膨張弁（４２）を介して蓄熱槽（５）に接続され、蓄熱槽（５）に接続された第６のライン（Ｌ１３）は第３の開閉弁（９）を介して第３のライン（Ｌ８）の第３の分岐点（Ｐ３）に接続され、前記第１の開閉弁（７）と第１の膨張弁（３２）との間の第２の分岐点（Ｐ２）から分岐した第６のライン（Ｌ１４）には第２の開閉弁（８）が介装され、そして第６のラインの蓄熱槽（５）と第３の開閉弁（９）との間の第５の分岐点（Ｐ５）に接続され、そして圧縮機（１０３）の流入ライン（Ｌ９）は前記第２のライン（Ｌ３）と第３のライン（Ｌ８）とに切替える弁（６）に連通していることを特徴とする圧縮式空調機。
【請求項３】
冷却水配管（ＨＬ１、ＨＬ２）が機械式原動機（１０２）と蓄熱槽（５）と連通して前記原動機（１０２）の冷却水を循環させる請求項１又は２のいずれかに記載の圧縮式空調機。
【請求項４】
圧縮機（１０３）は低負荷では内蔵された電動機（１０４）で駆動され、中負荷或いは高負荷では機械式原動機（１０２）で駆動される請求項２記載の圧縮式空調機。
【請求項５】
前記機械式原動機（１０２）の回転出力を前記圧縮機（１、１０１、１０３）に伝達する回転伝達機構（２００、２０１）を備え、前記電動機（１０４）により前記圧縮機（１０３）を回転し、前記圧縮機（１０３）の回転が前記回転伝達機構（２０１）を介して伝達することにより前記機械式原動機が起動される様に構成されている請求項１記載の圧縮式空調機。
【請求項６】
前記機械式電動機（１０２）の起動時に、圧縮機（１、１０１、１０３）の流入ライン（Ｌ）と出口ライン（ＬＯ）とをバイパスする機構（Ｂ１、Ｂ２）を設けた請求項５記載の圧縮式空調機。
【発明の詳細な説明】
【０００１】
【発明の属する技術分野】
本発明は、圧縮機と、該圧縮機を駆動する駆動源と、室内機と、室外機と、それ等の機器に冷媒が循環する圧縮式空調機に関する。
【０００２】
【従来の技術】
従来技術では、図２６（１台の動力源が１台の圧縮機を駆動）、図２７（１台の動力源が２台の圧縮機を駆動）に示す様に、機械式の動力源、例えばガスエンジン（１０２）により、圧縮機（１０１）を駆動するものが一般的であった。
前述の方法では、部分負荷に対しては、ガスエンジンの回転数を減少させて対応している。
しかし、この場合、回転数が減少すれば、ガスエンジンの効率が低下してしまうという問題が存在する。特に、８００ｒｐｍ以下では、振動や失火が発生する場合があった。
【０００３】
この問題に対処するために、電動機を動力源として用いる従来技術も存在する。電動機を動力源として用いた場合、部分負荷でも、効率がさほど低下せず、しかも、ターンダウン（空調機の最大負荷能力に対する最小負荷の割合）が大きく取れる。
【０００４】
しかし、原動機の燃料（例えば、ガス、油）と、電力とのエネルギーコストの差異により、電動機を使用して部分負荷に対処しても、ランニングコスト低減には必ずしも結びつかない。
【０００５】
この様な問題に対応するために、特開２０００−１１１１９８号公報で示す従来技術では、機械式原動機と電動機を直列に配置した例が提案されている。
しかし、上記方法においては設備が過大となる恐れが有り、実用上非常に問題がある。
【０００６】
【発明が解決しようとする課題】
本発明は、上述した従来技術の問題点に鑑みて提案されたものであり、部分負荷時その他におけるエネルギー効率を向上し、ランニングコストを低減することが出来る圧縮式空調機の提供を目的としている。
【０００７】
【課題を解決するための手段】
本発明によれば、圧縮機（１、１０１）とその圧縮機（１、１０１）を駆動する駆動源（２、１０２）と室内機（３）と室外機（４）とを有し、それらの圧縮機（１、１０１）と室内機（３）と室外機（４）に冷媒が循環する圧縮式空調機において、前記駆動源は電動機（２）と電動機以外の機械式原動機（１０２）であり、前記電動機（２）により駆動される圧縮機（１）からの冷媒の出口ライン（Ｌ１）と前記原動機（１０２）により駆動される圧縮機（１０１）からの冷媒の出口ライン（Ｌ２）とは第１のライン（Ｌ１６）に合流して室外機（４）に連通する第２のライン（Ｌ３）と室内機（３）に連通する第３のライン（Ｌ８）とに切替える弁（６）に接続され、前記室外機（４）からの第４のライン（Ｌ４）は第１の開閉弁（７）と第１の膨張弁（３２）とを介して室内機（３）に接続され、また第４のライン（Ｌ４）の第１の分岐点（Ｐ１）から分岐した第５のライン（Ｌ１２）は第２の膨張弁（４２）を介して蓄熱槽（５）に接続され、蓄熱槽（５）に接続された第６のライン（Ｌ１３）は第３の開閉弁（９）を介して第３のライン（Ｌ８）の第３の分岐点（Ｐ３）に接続され、前記第１の開閉弁（７）と第１の膨張弁（３２）との間の第２の分岐点（Ｐ２）から分岐した第６のライン（Ｌ１４）には第２の開閉弁（８）が介装され、そして第６のラインの蓄熱槽（５）と第３の開閉弁（９）との間の第５の分岐点（Ｐ５）に接続され、そして前記電動機（２）により駆動される圧縮機（１）の流入ライン（Ｌ１０）と前記原動機（１０２）により駆動される圧縮機（１０１）の流入ライン（Ｌ１１）とは合流して第７のライン（Ｌ９）に接続され、その第７のライン（Ｌ９）は前記第２のライン（Ｌ３）と第３のライン（Ｌ８）とに切替える弁（６）に連通している。
【０００８】
また、本発明によれば、圧縮機（１０３）とその圧縮機（１０３）を駆動する駆動源（１０２、１０４）と室内機（３）と室外機（４）とを有し、その圧縮機（１０３）と室内機（３）と室外機（４）に冷媒が循環する圧縮式空調機において、前記圧縮機（１０３）は電動機以外の機械式原動機（１０２）により駆動されると共に、前記圧縮機（１０３）からの冷媒の出口ライン（Ｌ２）は室外機（４）に連通する第２のライン（Ｌ３）と室内機（３）に連通する第３のライン（Ｌ８）とに切替える弁（６）に接続され、前記室外機（４）からの第４のライン（Ｌ４）は第１の開閉弁（７）と第１の膨張弁（３２）とを介して室内機（３）に接続され、また第４のライン（Ｌ４）の第１の分岐点（Ｐ１）から分岐した第５のライン（Ｌ１２）は第２の膨張弁（４２）を介して蓄熱槽（５）に接続され、蓄熱槽（５）に接続された第６のライン（Ｌ１３）は第３の開閉弁（９）を介して第３のライン（Ｌ８）の第３の分岐点（Ｐ３）に接続され、前記第１の開閉弁（７）と第１の膨張弁（３２）との間の第２の分岐点（Ｐ２）から分岐した第６のライン（Ｌ１４）には第２の開閉弁（８）が介装され、そして第６のラインの蓄熱槽（５）と第３の開閉弁（９）との間の第５の分岐点（Ｐ５）に接続され、そして圧縮機（１０３）の流入ライン（Ｌ９）は前記第２のライン（Ｌ３）と第３のライン（Ｌ８）とに切替える弁（６）に連通している。
【０００９】
そして、本発明によれば、冷却水配管（ＨＬ１、ＨＬ２）が機械式原動機（１０２）と蓄熱槽（５）と連通して前記原動機（１０２）の冷却水を循環させるようになっている。
【００１０】
かつ、本発明によれば、圧縮機（１０３）は低負荷では内蔵された電動機（１０４）で駆動され、中負荷或いは高負荷では機械式原動機（１０２）で駆動されるようになっている。
【００１１】
さらに、本発明によれば、前記機械式原動機（１０２）の回転出力を前記圧縮機（１、１０１、１０３）に伝達する回転伝達機構（２００、２０１）を備え、前記電動機（１０４）により前記圧縮機（１０３）を回転し、前記圧縮機（１０３）の回転が前記回転伝達機構（２０１）を介して伝達することにより前記機械式原動機が起動される様に構成されている。
【００１２】
係る構成を具備する本発明によれば、前記駆動源は電動機（２、１０４）及び電動機以外の原動機（１０２）で構成されているので、部分負荷時に電動機（２、１０４）で駆動することにより、部分負荷時の効率低下を抑制（従来技術に比較して効率向上）することが出来る。
或いは、本発明では蓄熱手段（５）を介装しており、電力が安価な夜間に電動機（２、１０４）で駆動して、余分な熱（温熱、冷熱）を蓄熱する。これにより、ランニングコストの問題を解決している。
【００１３】
本発明の実施に際して、冷房負荷増大時には、蓄熱された冷熱（蓄冷熱）を冷媒の過冷却度増大に利用しても良い。或いは、蓄冷熱を高圧冷媒の凝縮に用いても良い。
【００１４】
また、暖房運転時においては、蓄熱された温熱を、低圧液相冷媒の気化に用いて、高効率化を図っても良い。
【００１５】
また、本発明によれば、前記機械式電動機（１０２）の起動時に、圧縮機（１、１０１、１０３）の流入ライン（Ｌ）と出口ライン（ＬＯ）とをバイパスする機構（Ｂ１、Ｂ２）を設けてある。
【００１７】
【発明の実施の形態】
以下、添付図面を参照しつつ、本発明の実施形態について説明する。
【００１８】
先ず、図１−図８に基づき、本発明の第１実施形態に関して説明する。
図１および図２において、本発明の空調機は、電動機２により駆動される電動機駆動圧縮機１と、電動機以外の機械式原動機１０２により駆動される機械駆動圧縮機１０１と、内部を流過する冷媒によって室内の空気を冷・暖房する室内機３と、前記圧縮機１、１０１によって吐出された高圧気体の冷媒を凝縮・液化、或いは蒸発させる室外機４と、その内部に冷媒が流過し且圧縮機１、１０１と室外機４と蒸発器３を連通する冷媒ラインＬ１、Ｌ２、Ｌ１６、Ｌ３−Ｌ１１とを有している。
【００１９】
図１において、符号Ｆで示す部材は、室外機４が凝縮器、又は蒸発器として機能する場合に作動するファンである。
また、図２において、矢印のついた実線は（コンプレッサ１、１０１における）冷媒の吐出ラインを示し、矢印のついた点線は冷媒の吸入ラインを示す。
【００２０】
前記冷媒ラインには４つのポートを持つ四方弁６が配置されている。この四方弁６は、冷房時には冷媒ラインＬ１６とＬ３とを連通し、且つ、冷媒ラインＬ８とＬ９とを連通させている。そして暖房時には、冷媒ラインＬ１６とＬ８とを連通し、且つ、冷媒ラインＬ３とＬ９とを夫々連通させる様に構成されている。
【００２１】
前記冷媒ラインにはＬ４とＬ５の間、Ｌ５とＬ６の間、Ｌ７とＬ８の間、Ｌ９とＬ１０の間に、符号順に夫々、第１、第２、第３、第４の分岐点Ｐ１、Ｐ２、Ｐ３、Ｐ４が存在する。そして、冷媒ラインＬ５には第１の開閉弁７が介装され、冷媒ラインＬ６には第１の膨張弁３２が介装されている。
【００２２】
前記第１の分岐点Ｐ１と前記第３の分岐点Ｐ３からは、蓄熱槽５を介装した冷媒ラインＬ１２、Ｌ１３が分岐しており、冷媒ラインＬ１２には第２の膨張弁４２が介装されている。
【００２３】
冷媒ラインＬ１３は第５の分岐点Ｐ５を有し、該第５の分岐点Ｐ５と前記第２の分岐点Ｐ２とは第２の開閉弁８を介装した冷媒ラインＬ１４により連通され、バイパス回路Ｂを形成している。
また、前記冷媒ラインＬ１３中、前記第３の分岐点Ｐ３と第５の分岐点Ｐ５の間には、第３の開閉弁９が介装されている。
【００２４】
第１実施形態での冷房運転に関して、その時点における冷房負荷の要請は低いが、冷房負荷要請が高まった場合に備えて、冷房運転は行わないが、蓄（冷）熱を蓄熱単独運転（所謂「蓄熱モード」）の作動状況について、図３を用いて説明する。
尚、本明細書において、本発明の空調機の作動状況を図によって説明する場合、太い実線は「高圧冷媒」が流れている冷媒ラインを示し、太い点線は「低圧冷媒」が流れている冷媒ラインを示し、細い実線は冷媒が流れていない冷媒ラインを示すものとする。
【００２５】
電動機駆動圧縮機１および機械駆動圧縮機１０１は電動機２及び機械式原動機１０２によって共に駆動されており、図示せぬ双方の吐出口から吐出された高圧の冷媒は、冷媒ラインＬ１、Ｌ２から合流点Ｇで合流し、冷媒ラインＬ３を経て室外機４内に流入し、冷却ファンＦによって強制冷却され、凝縮され、液化される。
【００２６】
蓄熱モード運転の場合には第３の開閉弁９のみ開き、第１及び第２の開閉弁７、８は閉じられている。したがって、室外機４を通った冷媒は、冷媒ラインＬ４、第１の分岐点Ｐ１を経て、冷媒ラインＬ１２に流入し、第２の膨張弁４２で中高圧に減圧され、蓄熱槽５に流入し、冷熱が蓄熱槽５に蓄えられる。
【００２７】
蓄熱槽５で熱交換を終えた冷媒は、冷媒ラインＬ１３、Ｌ８、四方弁６、冷媒ラインＬ９、第４の分岐点Ｐ４を経て、夫々、冷媒ラインＬ１０、Ｌ１１から電動機駆動圧縮機１および機械駆動圧縮機１０１に戻り、同じ作動を繰り返す。
尚、図３は電動機駆動圧縮機１と機械駆動圧縮機１０１を併用した場合を示すが、電動機駆動圧縮機１または機械駆動圧縮機１０１いずれかの単独駆動であっても良い。ここで、電動機駆動圧縮機１単独駆動とする場合は、機械式原動機１０２と機械駆動圧縮機１０１の間に設けられた図示しないクラッチを切り、機械式原動機１０２をアイドリング状態とすれば良い。
【００２８】
次に、同じく冷房運転に関して、前述の蓄熱槽５に蓄えられた蓄（冷）熱を前記室内機３に流し、高負荷時に対応する所謂「放熱モード」運転を行った場合の作動状況について、図４を用いて説明する。
尚、蓄熱槽５に冷熱が蓄えられるまでの過程については、前述の「蓄熱モード」の場合と同じであるので説明を省略し、蓄熱槽５からの冷媒の排出以降について説明する。
【００２９】
放熱モード運転の場合、前記第１及び第３の開閉弁７、９は閉じられ、他方、バイパス回路Ｂに介装された第２の開閉バルブ８が開いている。したがって、蓄熱槽５に蓄えられていた冷熱により、蓄熱槽５を流れる冷媒は過冷状態となり、冷媒ラインＬ１３、第５の分岐点Ｐ５、バイパス回路Ｂ、第２の分岐点Ｐ２、冷媒ラインＬ６を経て、第１の膨張弁３２に至り、膨張・気化する。
【００３０】
膨張・気化した低圧冷媒は、冷媒ラインＬ６を経て室内機３に流入し、室内空気を冷やし、冷媒自体は温度を上昇させ、冷媒ラインＬ７、Ｌ８、四方弁６、冷媒ラインＬ９、第４の分岐点Ｐ４を経て、夫々冷媒ラインＬ１０、Ｌ１１から電動機駆動圧縮機１および機械駆動圧縮機１０１に戻り、同じ作動を繰り返す。
図４は電動機駆動圧縮機１と機械駆動圧縮機１０１を併用した場合を示すが、空調負荷に応じて、電動機駆動圧縮機１または機械駆動圧縮機１０１いずれかを単独で駆動させることも可能である。
【００３１】
このようにして、放熱モード運転においては、高負荷時等に室外機４の高圧液冷媒を蓄熱槽５に蓄え、過冷却度を増大させることが可能である。又、過冷却度増大に限らず、高圧ガス冷媒を蓄熱槽５に導き、蓄冷熱で直接凝縮させて（この時は室外機４の冷却ファンＦはＯＦＦ状態、即ち凝縮器としての機能は停止状態となる）、高効率化することも可能である。
【００３２】
次に、同じく冷房運転に関して、空調と併用して蓄熱を行った場合の所謂「蓄熱＋空調モード」運転を行った場合の作動状況について、図５を参照して説明する。なお、室外機４に冷媒が流入するまでの過程については、前述の「蓄熱モード」の場合と同じであり、説明を省略し、室外機４からの冷媒の排出以降について説明する。
【００３３】
「蓄熱＋空調モード」の場合、第１及び第３の開閉弁７、９が共に開き、第２の開閉弁８が閉じた状態となっている。
したがって、室外機４から排出した冷媒の一部は、第１の分岐点Ｐ１から冷媒ラインＬ１２へ分岐し、第２の膨張弁４２を介して蓄熱槽５に流入し、蓄冷熱として蓄えられる。
蓄熱槽５に冷熱を供給した後、蓄熱槽５を経由した冷媒は、冷媒ラインＬ１３、第３の分岐点Ｐ３、冷媒ラインＬ８、四方弁６、冷媒ラインＬ９、第４の分岐点Ｐ４を経て、夫々冷媒ラインＬ１０、Ｌ１１から電動機駆動圧縮機１及び機械駆動圧縮機１０１に戻る。
【００３４】
一方、（第１の分岐点Ｐ１からラインＬ１２側へは分岐しなかった）残りの冷媒は、冷媒ラインＬ５、Ｌ６を介して第１の膨張弁３２に流入する。
第１の膨張弁３２で冷媒は膨張・気化し、冷媒ラインＬ６を介して室内機３に流入し、室内空気と熱交換して室内空気を冷やし、冷媒自体は昇温される。
減圧し温度の上昇した冷媒は室内機３から排出され、冷媒ラインＬ７、Ｌ８、四方弁、冷媒ラインＬ９、第４の分岐点Ｐ４を経て、夫々冷媒ラインＬ１０、Ｌ１１から電動機駆動圧縮機１および機械駆動圧縮機１０１に戻る。以下、同じ作動を繰り返す。
【００３５】
上述の「蓄熱＋空調モード」の場合は、機械式原動機１０２は熱効率の高い高負荷状態で運転されることとなり、システム全体の効率を高めることとなる。
【００３６】
第１実施形態で、通常の冷房運転のみを行うモードについて、図５を参照して説明する。
冷房運転のみを行う場合、第１の開閉弁７のみ開かれ、第２及び第３の開閉弁８、９は閉じられている。このため、室外機４から排出した冷媒は冷媒ラインＬ４、第１の分岐点Ｐ１、冷媒ラインＬ５、第１の開閉弁７、冷媒ラインＬ５、Ｌ６を介して第１の膨張弁３２に流入する。
【００３７】
第１の膨張弁３２で冷媒は膨張・気化し、冷媒ラインＬ６を介して室内機３に流入し、室内空気と熱交換を行って冷房し、冷媒自体は昇温される。
昇温した冷媒は室内機３から排出され、冷媒ラインＬ７、Ｌ８、四方弁６、冷媒ラインＬ９、第４の分岐点Ｐ４を経て、夫々冷媒ラインＬ１０、Ｌ１１から電動機駆動圧縮機１および機械駆動圧縮機１０１に戻り、以後、上述の作動を繰り返す。
なお、図５は電動機駆動圧縮機１と機械駆動圧縮機１０１を併用した場合を示すが、電動機駆動圧縮機１または機械駆動圧縮機１０１いずれか一方を単独で駆動することも可能である。
【００３８】
つぎに、第１実施形態での暖房運転に関して、現在は室温が適切で暖房の必要はないが、暖房が要求される場合に備えて蓄熱のみを行う運転（所謂「蓄熱モード」運転）を行った場合の作動状況について、図６を参照して説明する。
【００３９】
ここで、図６と前述の図１、図３−図５は同一のシステムであるが、（冷房運転では用いられないので）図１、図３−図５においては省略してあったの配管及びバルブ類が、（暖房運転を示す）図６では新たに図示されている。
【００４０】
すなわち、図６においては、冷却水配管ＨＬ１、ＨＬ２が機械式原動機１０２と蓄熱槽５とを連通し、内部を原動機冷却水を循環させることによって原動機の排熱の授受を行わせる。
また、冷媒ラインＬ３には、第４の開閉弁１０が介装されており、室外機４と第４の開閉弁１０との間には第６の分岐点Ｐ６設けられ、第４の開閉弁１０と四方弁６の間には第７の分岐点Ｐ７が設けられている。
さらに、前記第６の分岐点Ｐ６と蓄熱槽５は、冷媒ラインＬ１７により接続されており、該冷媒ラインＬ１７には第５の開閉弁１１が介装されている。
そして、蓄熱槽５と前記第７の分岐点Ｐ７は、冷媒ラインＬ１８で接続されている。
【００４１】
前述した様に、暖房時には、四方弁１０により、冷媒ラインＬ１６とＬ８とが連通し、冷媒ラインＬ３とＬ９とが連通している。
【００４２】
暖房運転時であって、蓄熱のみを行うモードでは、第１、第２、第５の開閉弁７、８、１１が閉弁し、第３、第４の開閉弁９、１０が開弁している。
【００４３】
電動機駆動圧縮機１及び機械駆動圧縮機１０１から排出された高圧の冷媒は、Ｌ１、Ｌ２、合流点Ｇ、冷媒ラインＬ１６、四方弁６、冷媒ラインＬ８、第３の分岐点Ｐ３、冷媒ラインＬ１３の順に流過して、蓄熱槽５に流入し、蓄熱槽５に温熱を蓄える。
【００４４】
一方、稼動中、高温となった機械駆動圧縮機１０１を駆動する機械式原動機１０２の冷却水は、前記冷却水配管ＨＬ１を流過し、蓄熱槽５に流入し、更に温熱を蓄熱槽５に蓄える。
【００４５】
蓄熱槽５に温熱を与えた冷媒は降温して蓄熱槽５から排出され、冷媒ラインＬ１２に介装された第２の膨張弁４２で一部が気化し、冷媒ラインＬ４から室外機４に流入する。
室外機４を流過する冷媒は、ファンＦの駆動により蒸発器として機能する室外機４によって気化し、室外機４から排出される。
【００４６】
室外機４から排出された低圧冷媒は、冷媒ラインＬ３、四方弁６、冷媒ラインＬ９、第４の分岐点Ｐ４を経て、夫々冷媒ラインＬ１０、Ｌ１１から電動機駆動圧縮機１および機械駆動圧縮機１０１に戻り、同じ作動を繰り返す。
尚、図６は電動機駆動圧縮機１と機械駆動圧縮機１０１を併用した場合を示すが、電動機駆動圧縮機１または機械駆動圧縮機１０１いずれかの単独駆動であっても良い。
【００４７】
つぎに、同じく暖房運転に関して、低圧の液冷媒を蓄熱槽に導き、ガス化させる所謂「放熱モード」での作動状況について、図７を用いて説明する。
暖房運転の「放熱モード」では第１、第５の開閉弁７、１１が開き、第２、第３、第４の開閉弁８、９、１０が閉じられている。
【００４８】
したがって、電動機駆動圧縮機１及び機械駆動圧縮機１０１から排出された高圧の冷媒は、Ｌ１、Ｌ２、合流点Ｇ、冷媒ラインＬ１６、四方弁６、冷媒ラインＬ８、Ｌ７の順に流過して、室内機３に流入する。そして、室内空気と熱交換が行われ室内空気を暖める。
【００４９】
室内空気と熱交換が行われ温度が下がった冷媒は、室内機３から排出され、冷媒ラインＬ６、第１の膨張弁３２、冷媒ラインＬ５、Ｌ４を流過し、室外機４を介して、冷媒ラインＬ３、第６の分岐点Ｐ６、第５の開閉弁１１を介装した冷媒ラインＬ１７の順で流過して、蓄熱槽５に流入する。
蓄熱槽５に流入した冷媒は、そこに蓄熱されている温熱により完全に気化され、暖められて排出される。
【００５０】
なお、前述の室外機４内での冷媒の作動に関して、外気温が十分に低く（０℃近辺）、前記蓄熱槽５に蓄えられた蓄温熱が十分であれば、冷媒はその後、再流入する蓄熱槽で気化される。その際、室外機４の冷却ファンＦをＯＦＦにしておけば、冷媒は室外機４を素通りし（蒸発器として作動しない）、省エネルギーが図られる。
【００５１】
蓄熱槽５で暖められた冷媒は、冷媒ラインＬ１８、第７の分岐点Ｐ７、冷媒ラインＬ３、四方弁６、冷媒ラインＬ９、第４の分岐点Ｐ４を経て、冷媒ラインＬ１０、Ｌ１１から電動機駆動圧縮機１および機械駆動圧縮機１０１に戻る。以後、同じ作動を繰り返す。
尚、図７は電動機駆動圧縮機１と機械駆動圧縮機１０１を併用した場合を示すが、電動機駆動圧縮機１または機械駆動圧縮機１０１いずれか一方を単独で駆動しても良い。
【００５２】
つぎに、同じく暖房運転に関して、空調と併用して蓄熱を行った場合の所謂「蓄熱＋空調モード」運転を行った場合の作動状況について、図８を用いて説明する。尚、圧縮機で圧縮された冷媒が、第３の分岐点Ｐ３に至るまでの過程は、前述の「蓄熱モード」と同じであり、説明を省略し、それ以降の作動について説明する。
【００５３】
「蓄熱＋空調モード」運転では、第１、第３、第４の開閉弁７、９、１０が開弁し、第２、第５の開閉弁８、１１が閉弁している。したがって、冷媒の一部は第３の分岐点Ｐ３から冷媒ラインＬ１３を経て蓄熱槽５に至り、温熱を蓄熱槽５に蓄える。
【００５４】
ここで、稼動中、高温となった機械駆動圧縮機１０１を駆動する機械式原動機１０２の冷却水は、前記冷却水配管ＨＬ１を流過し、蓄熱槽５に流入して蓄熱槽５に蓄えられた温熱を更に効果的に上昇させる。そして、冷却水は蓄熱槽５から排出され、冷却水配管ＨＬ２を介して機械駆動圧縮機１０１に戻る。
【００５５】
蓄熱槽５に温熱を与えた冷媒は温度を下げ、冷媒ラインＬ１２を流過し、第２の膨張弁４２で一部が気化し、冷媒ラインＬ４から室外機４に流入する。
【００５６】
一方、残りの冷媒は、第３の分岐点Ｐ３から冷媒ラインＬ７を経て室内機３に流入し、室内空気と熱交換が行われ室内空気を暖める。
【００５７】
室内空気と熱交換が行われ温度が下がった冷媒は、室内機３から出て冷媒ラインＬ６を流れ、第１の膨張弁３２で減圧されて一部が気化される。そして、冷媒ラインＬ５、Ｌ４を経て室外機４に流入する。
【００５８】
室外機に流入後の冷媒の流れについては、図６の暖房運転の「蓄熱モード」と同じであるので威光の説明は省略する。
尚、図８は電動機駆動圧縮機１と機械駆動圧縮機１０１を併用した場合を示すが、電動機駆動圧縮機１または機械駆動圧縮機１０１いずれかの単独駆動であっても良い。
【００５９】
次に、通常の暖房運転の作動状況について、図７を用いて説明する。
通常の暖房運転では、第１、第４の開閉弁７、１０が開き、第２、第３、第５の開閉弁８、９、１１が閉じられている。
【００６０】
電動機駆動圧縮機１及び機械駆動圧縮機１０１から排出された高圧の冷媒は、ラインＬ１及びＬ２、合流点Ｇ、冷媒ラインＬ１６、四方弁６、冷媒ラインＬ８、Ｌ７の順に流過して、室内機３に流入し、室内空気と熱交換が行われ室内空気を暖める。
【００６１】
室内空気と熱交換が行われ温度が下がった冷媒は室内機３から出て、冷媒ラインＬ６を流れ、第１の膨張弁３２、冷媒ラインＬ５、Ｌ４を経て室外機４に流入する。
【００６２】
室外機４で気化された冷媒は冷媒ラインＬ３を流れ、四方弁６を介して冷媒ラインＬ９に至り、第４の分岐点Ｐ４を経て、夫々冷媒ラインＬ１０、Ｌ１１から電動機駆動圧縮機１および機械駆動圧縮機１０１に戻る。以後、同じ作動を繰り返す。
尚、図７は電動機駆動圧縮機１と機械駆動圧縮機１０１を併用した場合を示すが、電動機駆動圧縮機１または機械駆動圧縮機１０１いずれかの単独駆動であっても良い。
【００６３】
係る構成を有する図１−図８の第１実施形態によれば、部分負荷時には電動機１のみを駆動して、電動機駆動圧縮機１のみを回転駆動することが可能である。そして、電動機２のみを稼動すれば、部分負荷時でも効率はさほど低下しない。しかも、所謂「ターンダウン」を大きくとることが可能である。
そして、蓄熱槽５を組み合わせることにより、図２４、図２５２関連して後述する様に、部分負荷時は電気料金の安価な夜間のみとすることが出来る。従って、従来の電動機を併用するシステムに比較して、ランニングコストを遥かに節減することが可能となったのである。
【００６４】
次に図９−図１６を参照して、第２実施形態に関して説明する。なお、第２実施形態において、機械式原動機と電動機と圧縮機の関係及び圧縮機器への吸入・吐出用の冷媒ライン以外については、前述の第１実施形態で説明したのと同じである。
以降、第１実施形態と異なる点についてのみ説明する。
【００６５】
図９および図１０において、本発明の空調機の圧縮機１０３は、機械式原動機１０２により駆動されるとともに、圧縮機に内蔵された電動機１０４によっても駆動される所謂「ハイブリッドコンプレッサー」として構成されている。
圧縮機１０３への駆動源（機械式原動機１０２、電動機１０４）からの駆動力伝達の切換えは、双方の伝達機構に組込まれた図示しないクラッチ何れかを断・続することによって行われる様に構成されている。
【００６６】
圧縮機１０３には吐出側冷媒ラインとしてラインＬ２が連通しており、吸入側冷媒ラインとしてラインＬ９が連通している。ラインＬ２及びＬ９は、夫々四方弁６に連通している。
その他の空調ユニット、冷媒ライン、バルブ類については、配管レイアウトも含め、図１−図８を参照して前述した第１実施形態と同じであるので、説明を省略する。
【００６７】
第２実施形態の冷房運転に関して、「蓄熱モード」の作動状況が図１１に示されている。この蓄熱モード時の作動の詳細については、図３を参照して上述したのと同様である。
【００６８】
第２実施形態の冷房運転に関して、「放熱モード」の作動状況が図１２に示されている。この放熱モード時の作動の詳細については、図４を参照して上述したのと同様である。
【００６９】
第２実施形態の冷房運転に関して、「蓄熱＋空調モード」の作動状況が図１３に示されている。この「蓄熱＋空調モード」モード時の作動の詳細については、図５を参照して上述したのと同様である。
【００７０】
第２実施形態の通常の冷房運転のみを行うモードに関しても、第１実施形態における通常の冷房運転のみを行うモードについて前述したのと同様である。
【００７１】
第２実施形態の暖房運転に関して、「蓄熱モード」の作動状況が図１４に示されている。この蓄熱モード時の作動の詳細については、図６を参照して上述したのと同様である。
【００７２】
第２実施形態の暖房運転に関して、「放熱モード」の作動状況が図１５に示されている。この放熱モード時の作動の詳細については、図７を参照して上述したのと同様である。
【００７３】
第２実施形態の暖房運転に関して、「蓄熱＋空調モード」の作動状況が図１６に示されている。この「蓄熱＋空調モード」の作動の詳細については、図８を参照して上述したのと同様である。
【００７４】
第２実施形態の通常の暖房運転のみを行うモードに関しても、第１実施形態の場合と同様である。
【００７５】
次に図１７を参照して、本発明の第３実施形態を説明する。
図１７の第３実施形態において、機械式原動機と電動機と圧縮機の関係以外については、前述の第１実施形態（図１−図８）で説明したのと同様である。従って、第１実施形態と異なる点についてのみ説明する。
【００７６】
図１７において、機械式原動機１０２は第１の駆動力伝達手段２００によって第１の圧縮機１０１を駆動し、それと同時に、第２の駆動力伝達手段２０１によって第２の圧縮機１０３を駆動することが出来る様に構成されている。そして機械式原動機１０２は、第１の動力伝達手段２００によって第１の圧縮機１０１のみを駆動することも出来る様に構成されている。
【００７７】
さらに、第２の圧縮機１０３には電動機１０４が内蔵されており、駆動源を前記機械式原動機１０２と前記内臓式電動機１０４との何れか一方に選択可能に構成されている。そして、圧縮機１０３への駆動源（機械式原動機１０２、電動機１０４）からの駆動力伝達の切換えは、双方の伝達機構に組込まれた図示しないクラッチ何れかを断・続することによって行われる。
【００７８】
上記以外は、システムの構成が全て第１実施形態と同様である。
したがって、冷・暖房の各モードにおける基本的な作動状況も同様であり、その詳細については、図３−図８を参照して上述したのと同様である。
【００７９】
次に図１８を参照して、第４実施形態に関して説明する。
第４実施形態において、機械式原動機と電動機と圧縮機の関係以外については、前述の第２実施形態（図９−図１６）で説明したのと同様である。
以降、第２実施形態と異なる点についてのみ説明する。
【００８０】
圧縮機１０６は、第３の駆動力伝達手段２０２を介して機械式原動機１０２により駆動されるか、或いは、第４の駆動力伝達手段２０３を介して電動機２により駆動される。或いは、原動機１０２、２によって駆動することも可能に構成されている。
ここで駆動力の切換えは、例えば前記第３の駆動力伝達手段２０２及び第４の駆動力伝達手段２０３に設けられた図示せぬクラッチの切換えで行う。
【００８１】
上記以外の構成に関しては、全て第２実施形態と同様である。
したがって、冷・暖房の各モードにおける基本的な作動状況も第２実施形態と同様であり、作動の詳細については、図１２−図１６の説明（或いは図３−図８の説明）と同様である。
【００８２】
図１７、図１８の実施形態によれば、駆動源は電動機２、１０４及び電動機以外の機械式原動機１０２で構成されているので、空調負荷能力を向上させ（容量の大きな圧縮機の使用が可能となる）、部分負荷時の効率低下を抑制する（例えば、低負荷時には効率の良い電動機２、１０４のみで運転する）ことが出来る。
そして、第１及び第２実施形態と同様に、蓄熱槽（５）と組み合わせることにより、電動機２、１０４使用時におけるランニングコストを安価に抑えることが出来る。
【００８３】
本発明の空調負荷能力の向上について、図２４、図２５を用いて説明する。
図２４（冷房モード）、図２５（暖房モード）は共に本発明による空調システムの運転パターンを表すものであり、縦軸に空調負荷能力を、横軸に１日の運転経過時間を示している。
【００８４】
図２４の冷房モード運転において、折れ点ｂ１、ｂ２、ｂ３、ｅ１、ｅ２を結ぶ太線は、蓄冷熱の利用も含む実際の空調負荷を示す。先ず、深夜の０時から朝８時まで深夜電力を利用して電動機を運転し、蓄熱槽に蓄冷熱する（エリアＡ）。
【００８５】
朝８時からは原動機による冷房運転が開始され（ｂ１点）、空調負荷はｂ２点で最高となり徐々に負荷を減じていき、１８時（ｂ３点）で原動機による冷房運転（エリアＤを含むエリアＢ）を終了する。この期間、点ｂ１、ｃ１、ｃ２、ｂ１で囲まれるエリアＣ１と、点ｃ３、ｃ４、ｂ３、ｃ３で囲まれるエリアＣ２は共に能力が余剰となり蓄熱槽に冷熱を蓄える蓄冷熱が行われている。
又、点ｄ１、ｂ２、ｄ２、ｄ１、で囲まれるエリアＤは高負荷時に前記蓄えられた蓄冷熱を室外機（この時凝縮器として作用）出口冷媒の過冷却度の増大に利用していることを示すものである。
【００８６】
また、前述の冷房運転放熱モード（図４の説明文参照）において、過冷却度増大に限らず、高圧冷媒の凝縮に利用しても良い。
【００８７】
１８時（ｅ１点）からは電動機による低空調負荷運転（エリアＥ）が２０時（ｅ２点）まで続き、２０時（ｆ２点）以降は電動機による蓄冷（エリアＦ）に切り換わり、翌日（ｆ２点）に至る。
【００８８】
即ち、余剰能力を蓄冷熱してき、要求最大空調負荷時にこの蓄冷熱を当てることによって最大空調負荷を押さえ、省エネルギーを果たすことが出来る。
【００８９】
図２５の暖房モード運転において、折れ点ｂ１、ｂ２、ｂ３、ｂ４、ｅ１、ｅ２を結ぶ太線は、蓄温熱利用も含む実際の空調負荷を示す。
先ず、深夜の０時から朝８時まで深夜電力を利用して電動機を運転し、蓄熱槽に蓄温熱する（エリアＡ）。この蓄温熱は朝の暖房運転開始時等に、ヒートポンプ熱源としても利用される。
【００９０】
朝８時からは原動機による暖房運転が開始され（ｂ１点）、室温が上昇するのに従い、徐々に空調負荷を下げ、１８時（点ｂ４）に原動機による暖房運転（エリアＢ１及びエリアＢ２）は終了する。
原動機による暖房運転開始直後は、前述の蓄温熱を利用して蒸発温度が引き上げられる（エリアＣ１）と共に，原動機の排熱は冷媒の蒸発に使われ（エリアＢ１）、暖房運転の後半は原動機の排熱は蓄熱槽に蓄温される（エリアＣ２）。
【００９１】
１８時（ｅ１点）からは電動機による低暖房負荷運転（エリアＥ）が２０時（ｅ２点）まで続き、２０時（ｆ２点）以降は電動機による蓄温熱（エリアＦ）が続き、翌日（ｆ２点）に至る。
【００９２】
即ち、電動機による蓄温熱及び原動機の排熱利用により、最大空調負荷を抑制すると共に、蓄温熱は朝の暖房運転開始時等に、ヒートポンプ熱源としても利用される。
【００９３】
図１９−図２３は、本発明の第５実施形態を示す。
図１９において、構成ユニットとしての機械式原動機１０２と、圧縮機１０３と、圧縮機１０３に内蔵された電動機１０４、とに関しては前述の第２実施形態（図１０）と同じである。
尚、図中の矢印は、回転及び駆動の方向を示している。又、明確には図示されていないが、前述の図９−図１７の実施形態において、図１９から図２３で示すような構成と組み合わせることが出来る。
【００９４】
この第５実施形態では、電動機１０４の機能が特徴である。第２実施形態では電動機１０４は圧縮機の駆動に用いられているが、図１９−図２３の第５実施形態では、前記機械式原動機１０２の起動用モータとして用いている。
冷暖房システムとしての作動は第２実施形態と略同じであり、図１１−図１６或いは図３−図８を参照して説明したのと同様である。
【００９５】
しかし、図１９で要部構成を示す第５実施形態は、そのままでは、電動機１０４が圧縮機１０３を回転させて、冷媒を循環せしめてしまう。そして、機械式原動機１０２の起動のみを行うのに比較して、圧縮機１０３を回転して冷媒を循環させることは、多大な動力を要する。即ち、電動機への要求動力が著しく増大することとなる。
【００９６】
そこで、本発明では、冷媒ラインにバイパス機構を設け、内蔵電動機１０４により機械式原動機１０２を起動する場合には、圧縮機１０３により、冷暖房システム（図１９では図示せず）全体に冷媒が循環することを行わない様に構成し、以って、圧縮機１０３部分での動力消費の低減を可能とした。
図２０−図２３を用いて該バイパス機構と該バイパス機構の制御に関して説明する。
【００９７】
図２０において、電動機１０４を内蔵した圧縮機１０３の吸入ラインＬと吐出ラインＬＯの間を連通する第１のバイパス弁ＢＶ１とバイパス回路ＢＬ１とで構成されるバイパス機構Ｂ１が設けてある。
又、前記吸入ラインＬ側のバイパス回路ＢＬ１との分岐点ＢＰ１よりも上流には圧力センサＰＳ１と、温度センサＴＳ１が図示の様に介装されている。
他方、前記吐出ラインＬＯ側のバイパス回路ＢＬ１との分岐点ＢＰ２よりも下流には、圧力センサＰＳ２と温度センサＴＳ２が図示の様に介装されている。
【００９８】
したがって、機械式原動機（例えばガスエンジン）１０２の起動時には、バイパス弁ＢＶ１を開弁して圧縮機１０３の吐出（ＬＯ）側と吸入側（Ｌ）側を連通し、冷媒は圧縮機１０３とバイパスラインＢＬ１とによる閉回路のみを循環する様にして、圧縮機部分での動力の消費を低減するのである。
換言すれば、冷媒はバイパス回路ＢＬ１と圧縮機１０３の間を循環するのみで、その他の空調機器を循環しないので圧縮機での動力は微小ですむ。
【００９９】
以上のバイパス機構Ｂ１の制御に関して、図２１を用いて（図２０をも参照して）説明する。
スタートしてから、ステップＳ１において、原動機１０２の起動が要求され、ステップＳ２に進み、電動機１０４と圧縮機１０３を断・続するクラッチをつなぐ。
【０１００】
次のステップＳ３では、機械式原動機１０２と圧縮機１０３を断・続するクラッチもつなぐ。次のステップＳ４では、バイパス弁ＢＶ１を開弁し、図示しない制御手段は吸入圧力と吐出圧力が等しく保たれているか否か（冷媒が空調機をバイパスしている状態か否か）を判断する（ステップＳ５）。
等しく保たれていなければ（ステップＳ５においてＮＯ）、ステップＳ４に戻り、規定回数以上これを繰り返す。
等しく保たれていれば（ステップＳ５においてＹＥＳ）、次のステップＳ６に進む。
【０１０１】
なお、圧力値の検出は圧力センサＰＳ１、ＳＰ２などによる実測圧力値の他に、温度センサＴＳ１、ＴＳ２から検出される温度に対応する冷媒の飽和圧力を用いてもよい。
【０１０２】
ステップＳ６では電動機１０４が運転され、次のステップＳ７において、図示せぬ制御装置は機械式原動機１０２の回転数が規定値に達したか否かを判断する。
規定値に達していなければ（ステップＳ７においてＮＯ）、ステップＳ６に戻り、規定値に達していれば（ステップＳ７においてＹＥＳ）、ステップＳ８に進む。
【０１０３】
ステップＳ８では電動機１０４と圧縮機１０３を断・続するクラッチを切り、ステップＳ９に進み、電動機１０３が停止する。
ステップＳ１０に進み、機械式原動機１０２と圧縮機１０３を断・続するクラッチも切る。
なお、機械式原動機１０２を起動後、そのまま機械式原動機１０２による圧縮機１０３の運転を続行する場合、ステップＳ１０は不用である。
【０１０４】
次のステップＳ１１では、バイパス弁ＢＶ１を閉弁し、機械式原動機１０２の起動は完了する。
【０１０５】
図２２はその他のバイパス機構Ｂ２を示している。
前述した図２０の機構に対して、図２２のバイパス機構Ｂ２では、吸入ラインＬ側の分岐点ＢＰ１と圧力センサＰＳ１との間に第２のバイパス弁ＢＶ２を介装し、吐出ラインＬＯ側の分岐点ＢＰ２と圧力センサＰＳ２との間に第３のバイパス弁ＢＶ３を介装している。
【０１０６】
そして前記バイパス機構Ｂ２は、前記分岐点ＢＰ１とＢＰ２とを結ぶバイパスラインＢＬ２と、そこに介装されたバイパス弁ＢＶ１とを備えている。
【０１０７】
したがって、機械式原動機１０２の起動時には、バイパス弁ＢＶ１を開弁して圧縮機１０３の吐出（ＬＯ）側と吸入側（Ｌ）側を連通する。さらに、第２のバイパス弁ＢＶ２および第３のバイパス弁ＢＶ３を閉弁することにより、冷暖房システム（図示せず）の冷媒回路側からバイパス機構Ｂ２を独立させ、圧縮機１０３部分での動力の消費を低減することが出来る。
【０１０８】
以上の構成によるその他のバイパス機構Ｂ２の制御に関して、図２３を用いて（図２２をも参照して）説明する。
スタートして、ステップＳ２１において、原動機１０２の起動が要求され、ステップＳ２２に進み、電動機１０４と圧縮機１０３を断・続するクラッチをつなぐ。
【０１０９】
次のステップＳ２３では機械式原動機１０２と圧縮機１０３を断・続するクラッチもつなぐ。次のステップＳ２４では、バイパス弁ＢＶ１を開き、ステップＳ２５に進む。
【０１１０】
ステップＳ２５では第２のバイパス弁ＢＶ２及び第３のバイパス弁ＢＶ３を閉弁してステップＳ２６に進む。
ステップＳ２６で電動機１０４の運転が開始され、ステップＳ２７に進む。
【０１１１】
ステップＳ２７において図示せぬ制御装置は機械式原動機１０２の回転数が規定値に達したか否かを判断する。
規定値に達していなければ（ステップＳ２７においてＮＯ）ステップＳ２６に戻り、規定値に達していれば（ステップＳ２７においてＹＥＳ）、ステップＳ２８に進む。
【０１１２】
ステップＳ２８では電動機１０４と圧縮機１０３を断・続するクラッチを切り、ステップＳ２９に進み、電動機１０３が停止する。
ステップＳ３０に進み、機械式原動機１０２と圧縮機１０３を断・続するクラッチも切る。尚、機械式原動機１０２を起動後、そのまま機械式原動機１０２による圧縮機１０３の運転を続行する場合、ステップＳ３０は不用である。
【０１１３】
次のステップＳ３１では、第２のバイパス弁ＢＶ２及び第３のバイパス弁ＢＶ３を開弁して次のステップＳ３２に進む。ステップＳ３２では、バイパス弁ＢＶ１を閉弁し、機械式原動機１０２の起動は完了する。
【０１１４】
図示の実施形態はあくまでも例示であり、本発明の技術的範囲を限定する趣旨ではない旨を付記する。
例えば、図１７、図１８の実施形態には蓄熱槽を備えた冷暖房システムが示されていないが、図１７、図１８の実施形態においても図３−図８或いは図１１−図１６で示すのと同様に、蓄熱モード、放熱モード、「蓄熱＋空調」モードを冷房運転、暖房運転で実行出来る。
また、図１９−図２３の実施形態は、図１−図１８の全ての実施形態に対して適用可能である。
【０１１５】
【発明の効果】
本発明の作用効果を以下に列記する。
（ａ）  エネルギー効率、特に部分負荷時におけるエネルギー効率を向上する。
（ｂ）  空調機の最大負荷能力に対する最小負荷の割合即ち「ターンダウン」が大きく採れる。
（ｃ）  負荷に応じて電動機のみで運転出来る場合には、振動・騒音の低減が図られる。
（ｄ）  機械式原動機の排熱を蓄熱に利用して空調効率を向上させているので、省資源、省エネルギーに貢献する。
（ｅ）  電動機内蔵の圧縮機を用いて機械式原動機を起動するので省スペース及びメンテナンスフリーが図られる。
（ｆ）  蓄熱槽と組み合わせることにより、電力料金の安い夜間に部分負荷運転を行う様にすることが出来る。これにより、ランニングコストを節減することが可能となる。
【図面の簡単な説明】
【図１】本発明の第１実施形態の構成を示す全体構成図。
【図２】第１実施形態の要部を示す部分構成図。
【図３】第１実施形態の冷房運転（蓄熱モード）時における作動流体（冷媒）の流れを示す図。
【図４】本発明の第１実施形態の冷房運転（放熱モード：蓄冷熱を利用して運転するモード）時の作動流体（冷媒）の流れを示す図。
【図５】第１実施形態の冷房運転（冷房運転と蓄熱とを同時に行うモード）時の作動流体（冷媒）の流れを示す図。
【図６】第１実施形態における暖房運転（蓄熱モード）時の作動流体（冷媒）の流れを示す図。
【図７】第１実施形態の暖房運転（放熱モード：蓄温熱を利用して運転するモード）時の作動流体（冷媒）の流れを示す図。
【図８】第１実施形態の冷房運転（暖房運転と蓄熱とを同時に行うモード）時の作動流体（冷媒）の流れを示す図。
【図９】本発明の第２実施形態の構成を示す全体構成図。
【図１０】第２実施形態の要部を示す部分構成図。
【図１１】第２実施形態の冷房運転（蓄熱モード）時における作動流体（冷媒）の流れを示す図。
【図１２】本発明の第２実施形態の冷房運転（放熱モード：蓄冷熱を利用して運転するモード）時の作動流体（冷媒）の流れを示す図。
【図１３】第２実施形態の冷房運転（冷房運転と蓄熱とを同時に行うモード）時の作動流体（冷媒）の流れを示す図。
【図１４】第２実施形態における暖房運転（蓄熱モード）時の作動流体（冷媒）の流れを示す図。
【図１５】第２実施形態の暖房運転（放熱モード：蓄温熱を利用して運転するモード）時の作動流体（冷媒）の流れを示す図。
【図１６】第２実施形態の冷房運転（暖房運転と蓄熱とを同時に行うモード）時の作動流体（冷媒）の流れを示す図。
【図１７】第３実施形態の要部を示す部分構成図。
【図１８】第４実施形態の要部を示す部分構成図。
【図１９】第５実施形態の要部を示す部分構成図。
【図２０】第５実施形態のバイパス機構の１例を示すブロック図。
【図２１】図２０で示すバイパス機構の制御フローチャート。
【図２２】第５実施形態のバイパス機構のその他の例を示すブロック図。
【図２３】図２２で示すバイパス機構の制御フローチャート。
【図２４】本発明による冷房時の運転パターンの１例を示す図。
【図２５】本発明による暖房時の運転パターンの１例を示す図。
【図２６】従来技術における、空調機の要部構成を示す図（１台の機械式原動機が１台の圧縮機を駆動する例）。
【図２７】従来技術における、空調機の要部構成を示す図（１台の機械式原動機が２台の圧縮機を駆動する例）。
【符号の説明】
１・・・電動機駆動圧縮機
２・・・電動機
３・・・室内機
４・・・室外機
５・・・蓄熱槽
６・・・四方弁
７・・・第１の開閉弁
８・・・第２の開閉弁
９・・・第３の開閉弁
３２・・・第１の膨張弁
４２・・・第２の膨張弁
１０１・・・機械駆動圧縮機
１０２・・・機械式原動機
【図１】
0004544602.tif 000002
【図２】
0004544602.tif 000003
【図３】
0004544602.tif 000004
【図４】
0004544602.tif 000005
【図５】
0004544602.tif 000006
【図６】
0004544602.tif 000007
【図７】
0004544602.tif 000008
【図８】
0004544602.tif 000009
【図９】
0004544602.tif 000010
【図１０】
0004544602.tif 000011
【図１１】
0004544602.tif 000012
【図１２】
0004544602.tif 000013
【図１３】
0004544602.tif 000014
【図１４】
0004544602.tif 000015
【図１５】
0004544602.tif 000016
【図１６】
0004544602.tif 000017
【図１７】
0004544602.tif 000018
【図１８】
0004544602.tif 000019
【図１９】
0004544602.tif 000020
【図２０】
0004544602.tif 000021
【図２１】
0004544602.tif 000022
【図２２】
0004544602.tif 000023
【図２３】
0004544602.tif 000024
【図２４】
0004544602.tif 000025
【図２５】
0004544602.tif 000026
【図２６】
0004544602.tif 000027
【図２７】
0004544602.tif 000028